【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
患者の主要気管分岐部および気管をマーキングするためのシステムであって、前記システムは、
画像処理コンピュータに、撮像デバイスから前記患者の胸部のスライス画像をインポートするための手段と、
前記画像処理コンピュータ内に含まれたグラフィックプロセッサであって、前記グラフィックプロセッサは、前記インポートされたスライス画像に基づいて、３次元（３Ｄ）モデルを生成するように構成されている、グラフィックプロセッサと、
前記画像処理コンピュータによって、グラフィカルユーザインターフェース（ＧＵＩ）内に前記３Ｄモデルを表示するための手段と
を備え、
前記主要気管分岐部は、前記ＧＵＩを使用するユーザによって、軸方向配向における前記３Ｄモデルの２Ｄ画像を視認することによって位置付けられるように構成され、
前記主要気管分岐部は、前記３Ｄモデルの２Ｄ画像のうちの１つにおいてマーキングされるように構成され、
前記３Ｄモデルのビュー平面は、前記主要気管分岐部を前記ビュー平面内に保ちながら、軸方向配向から冠状面配向に前記ビュー平面を調節し、それによって、前記ＧＵＩ上に前記気管全体を表示するために、前記主要気管分岐部のマーキングされた場所によって画定される回転軸の周囲に調節されるように構成され、
前記気管の上側端部は、前記３Ｄモデルの２Ｄ画像のうちの１つにおいてマーキングされるように構成されている、システム。
【請求項２】
患者の主要気管分岐部および気管をマーキングするためのシステムであって、前記システムは、
画像処理コンピュータに、撮像デバイスから前記患者の胸部のスライス画像をインポートするための手段と、
前記画像処理コンピュータ内に含まれるグラフィックプロセッサであって、前記グラフィックプロセッサは、前記インポートされたスライス画像に基づいて、３次元（３Ｄ）モデルを生成するように構成されている、グラフィックプロセッサと、
前記画像処理コンピュータによって、グラフィカルユーザインターフェース（ＧＵＩ）内に前記３Ｄモデルを表示するための手段と
を備え、
前記主要気管分岐部は、前記ＧＵＩを使用するユーザによって、前記３Ｄモデルの複数の２Ｄ画像のうちの１つにおいてマーキングされるように構成され、
前記３Ｄモデルのビュー平面は、前記ＧＵＩを使用するユーザによって、前記ＧＵＩ上に前記気管全体を表示するために調節されるように構成され、
前記気管の上側端部は、前記ＧＵＩを使用するユーザによって、前記３Ｄモデルの複数の２Ｄ画像のうちの１つにおいてマーキングされるように構成されている、システム。
【請求項３】
前記主要気管分岐部がマーキングされることに先立って、前記主要気管分岐部は、前記３Ｄモデルの２Ｄ画像のうちの１つにおいて位置付けられるように構成されている、請求項２に記載のシステム。
【請求項４】
前記主要気管分岐部は、軸方向配向における前記３Ｄモデルの２Ｄ画像を視認することによって、前記ユーザによって位置付けられるように構成されている、請求項３に記載のシステム。
【請求項５】
前記３Ｄモデルは、トモグラフィ技法、Ｘ線撮影法、コンピュータ軸トモグラフィ走査によってもたらされるトモグラム、磁気共鳴撮像、超音波検査法、造影撮像、蛍光透視法、核走査法、または陽電子放射トモグラフィによって得られる、２次元画像に基づいて生成される、請求項２に記載のシステム。
【請求項６】
前記３Ｄモデルのビュー平面は、回転軸の周囲に調節されるように構成されている、請求項２に記載のシステム。
【請求項７】
前記ビュー平面は、軸方向配向から冠状面配向に調節されるように構成されている、請求項６に記載のシステム。
【請求項８】
前記主要気管分岐部は、前記ビュー平面が調節されている中、前記ビュー平面内に保たれるように構成されている、請求項７に記載のシステム。
【請求項９】
前記気管のマーキングは、前記ＧＵＩ上に表示される３Ｄモデルのレンダリングを精査することによって、前記ＧＵＩを使用するユーザによって検証されるように構成されている、請求項２に記載のシステム。
【請求項１０】
前記レンダリングされた３Ｄモデルは、前記主要気管分岐部のマーキングと、前記気管の上側端部のマーキングとを含む、請求項９に記載のシステム。
【手続補正２】
【補正対象書類名】明細書
【補正対象項目名】００１６
【補正方法】変更
【補正の内容】
【００１６】
本開示の上記の側面および実施形態のいずれかは、本開示の範囲から逸脱することなく組み合わせられ得る。
本願明細書は、例えば、以下の項目も提供する。
（項目１）
患者の主要気管分岐部および気管をマーキングするための方法であって、
画像処理コンピュータに、撮像デバイスから前記患者の胸部のスライス画像をインポートするステップと、
前記画像処理コンピュータ内に含まれるグラフィックプロセッサによって、前記インポートされたスライス画像に基づいて、３次元（３Ｄ）モデルを生成するステップと、
前記画像処理コンピュータによって、グラフィカルユーザインターフェース（ＧＵＩ）内に前記３Ｄモデルを表示するステップと、
前記ＧＵＩを使用するユーザによって、軸方向配向における前記３Ｄモデルの２Ｄ画像を視認することによって、前記主要気管分岐部を位置付けるステップと、
前記３Ｄモデルの２Ｄ画像のうちの１つにおいて、前記主要気管分岐部をマーキングするステップと、
前記主要気管分岐部のマーキングされた場所によって画定される、回転軸の周囲の前記３Ｄモデルのビュー平面を調節し、前記主要気管分岐部を前記ビュー平面内に保ちながら、軸方向配向から冠状面配向に前記ビュー平面を調節し、それによって、前記ＧＵＩ上に前記気管全体を表示するステップと、
前記３Ｄモデルの２Ｄ画像のうちの１つにおいて、気管の上側端部をマーキングするステップと、
を含む、方法。
（項目２）
患者の主要気管分岐部および気管をマーキングするための方法であって、
画像処理コンピュータに、撮像デバイスから前記患者の胸部のスライス画像をインポートするステップと、
前記画像処理コンピュータ内に含まれるグラフィックプロセッサによって、前記インポートされたスライス画像に基づいて、３次元（３Ｄ）モデルを生成するステップと、
前記画像処理コンピュータによって、グラフィカルユーザインターフェース（ＧＵＩ）内に前記３Ｄモデルを表示するステップと、
前記ＧＵＩを使用するユーザによって、前記３Ｄモデルの複数の２Ｄ画像のうちの１つにおいて、前記主要気管分岐部をマーキングするステップと、
前記ＧＵＩを使用するユーザによって、前記ＧＵＩ上に前記気管全体を表示するために、前記３Ｄモデルのビュー平面を調節するステップと、
前記ＧＵＩを使用するユーザによって、前記３Ｄモデルの複数の２Ｄ画像のうちの１つにおいて、前記気管の上側端部をマーキングするステップと、
を含む、方法。
（項目３）
前記主要気管分岐部をマーキングするステップに先立って、前記３Ｄモデルの２Ｄ画像のうちの１つにおいて、前記主要気管分岐部を位置付けるステップをさらに含む、項目２に記載の方法。
（項目４）
前記ユーザは、軸方向配向における前記３Ｄモデルの２Ｄ画像を視認することによって、前記主要気管分岐部を位置付ける、項目３に記載の方法。
（項目５）
前記３Ｄモデルは、トモグラフィ技法、Ｘ線撮影法、コンピュータ軸トモグラフィ走査によってもたらされるトモグラム、磁気共鳴撮像、超音波検査法、造影撮像、蛍光透視法、核走査法、または陽電子放射トモグラフィによって得られる、２次元画像に基づいて生成される、項目２に記載の方法。
（項目６）
前記３Ｄモデルのビュー平面を調節するステップは、回転軸の周囲の前記ビュー平面を調節することを含む、項目２に記載の方法。
（項目７）
前記回転軸の周囲のビュー平面を調節するステップは、軸方向配向から冠状面配向に前記ビュー平面を調節することを含む、項目６に記載の方法。
（項目８）
前記調節するステップ中、前記主要気管分岐部は、前記ビュー平面内に保たれる、項目７に記載の方法。
（項目９）
前記ＧＵＩを使用するユーザによって、前記ＧＵＩ上に表示される３Ｄモデルのレンダリングを精査することによって、前記気管のマーキングを検証するステップをさらに含む、項目２に記載の方法。
（項目１０）
前記レンダリングされた３Ｄモデルは、前記主要気管分岐部のマーキングと、前記気管の上側端部のマーキングとを含む、項目９に記載の方法。